(57)【要約】【課題】構造材に設けた穴へのボルトの挿入が、抜けやすい座金を其々の穴ごとにボルトに嵌めているので効率の悪い作業になっているし、座金が平板で摘まみにくいし、挿入穴とボルトに隙間があり地震の揺れで穴の入口がボルトに衝突し穴を広げるし、隙間が全てのボルト接合にあるので、建物の寸法精度を悪くしている。【解決手段】平板と一体の円筒からなる座金で、木構造体に設けたボルト挿入用の穴に、円筒部分を打ち込めるようにした。【選択図】図０３
2020003058.tif 000002
【特許請求の範囲】
【請求項１】
平板（１）と一体の円筒（２）から形成され、木構造材に設けたボルト挿入用の穴に、前記円筒を入れて固定する座金。
【請求項２】
前記円筒の先端の外側を円錐面（３）にした、請求項１に記載の座金。
【請求項３】
前記円筒の内側半径を、挿入するボルト径よりも広くし、木構造材に設けたボルト挿入用の穴よりも狭くした、請求項１に記載の座金。
【請求項４】
平板と円筒が繋がる部分の曲面コーナー（４）と前記円錐面を合わせて重ね積みできる、請求項１に記載の座金。
【請求項５】
前記円筒の内側面と前記円錐面の交差部を曲面で面取りした、請求項１に記載の座金。
【発明の詳細な説明】
【技術分野】
【０００１】  本発明は、木構造材に用いる座金に関する。
【背景技術】
【０００２】  接合金物を利用した木造構法では、ボルトとナットの締めつけに座金を用いている。
【先行技術文献】
【特許文献】
【０００３】
【特許文献１】特開  ２０１４−０９８２６８号    公報
【発明の概要】
【発明が解決しようとする課題】
【０００４】  建て方で、ボルトを木構造材に設けたボルト用の穴（以下、穴と記載）に挿入する時に、座金をボルトに手作業で嵌めてから挿入しているが、抜けやすいため其々の穴ごとに嵌めなければならないし、穴の向きによってはボルトから直ぐ抜けることもあるので、落ちないように配慮しながらの作業になり、効率の悪い仕事になっている。【０００５】  平板の座金は平らな所に置いてあると掴みにくく、手袋をした作業では扱いが難しい。【０００６】  穴の径の方がボルトの径より大きく、穴とボルトの間に隙間を作ったままで、ボルトを固定しているので、木材の経年変化でボルトの接合に緩みが生じている状況で地震に対応すると、ボルトが穴の中で動き、柔らかい木材と硬いボルトとの衝突が穴の中で繰り返され、特に荷重を受けているボルトと穴の入口部分の衝突が激しく、入口の角が変形して穴の入口が広がり、小規模の地震が繰り返されると、広がりが大きくなり、柱や梁をより揺れやすくする原因となり、大地震が起きた時に建物全体の揺れを大きくし被害を大きくする。【０００７】  また、ボルトと穴の隙間は、挿入されるすべてのボルトに設けてあるので、構造体の寸法精度を下げている。
【課題を解決するための手段】
【０００８】  平板と一体の円筒とで、座金を形成した。【０００９】  円筒の先端の外側を円錐面にした。【００１０】  円筒の内側半径を、挿入するボルト径よりも広くし、木構造材に設けた穴よりも狭くした。【００１１】  平板と円筒が繋がる部分の曲面コーナーと、円筒の円錐面を重ねられる形状にした。【００１２】  円筒の内側面と円錐面の交差部を曲面で面取りした。
【発明の効果】
【００１３】  打ち込み座金の円筒の先端の外側に円錐面があり、円筒の方が穴よりも狭いので、木構造材に設けた穴に円筒の先端が簡単に嵌り、打ち込が容易になり、取り付けの効率が良くなる。【００１４】  ボルト用の穴が複数ある時は、円筒先端の穴に入りやすい円錐面部分を其々の穴に、入れると仮止めになるので、必要な数だけ入れてから、当て木を複数の打ち込み座金の平板に当てて、ハンマーなどで打ち込めば、効率が良い作業になる。【００１５】  丸い穴に短い円筒を打ち込んで入れるだけなので、座金は傾きにくく作業は容易である。【００１６】  建て方前に、打ち込み座金を木構造材の穴に打ち込んでおくと、建て方の時にボルトに座金を嵌める必要が無くなり、構造材へのボルトの取り付けが容易になる。【００１７】  打ち込み座金の円筒部分を、木構造材に設けた穴に、打ち込むことで、打たれた釘と同じように木材の元に戻ろうとする力で固定されるので、座金は穴から抜けないし、位置は動かない。【００１８】  地震時には揺れるボルトが、穴の中で打ち込み座金の円筒の内側に当たり、木部を傷つけないので、穴の口は広がらない。【００１９】  打ち込み座金が打ち込まれると、穴がいくらか狭くなるが、ボルトを穴に入れる時に、ボルトの先が曲面コーナーに誘導され円筒内の滑らかな表面に触れるので、木材の穴よりも滑りやすく、容易に挿入できる。【００２０】  円筒が隙間を狭くするので、ボルトに緩みがあった場合でも地震時の動きが小さくなり、ボルトと繋がる接合部分の動きも小さくなるし、建物全体の揺れも小さくなる。【００２１】  ボルトと打ち込み座金の穴の隙間が、穴だけのときよりも小さいので、構造体の寸法精度も高める。【００２２】  打ち込み座金が、木構造材の穴に嵌っていると、穴の輪郭がはっきりと見えるので、ボルトを挿入するときに、作業が容易になる。【００２３】  重ね積みした打ち込み座金の平板の縁を指先で挟めば、重ね積みから、簡単に外せる。【００２４】  穴に打ち込み座金の円筒が嵌りにくい場合、座金を斜にして穴の縁に円筒の先端の面取り部分を当てて擦ると、穴の縁が広がり座金が嵌りやすくなる。【００２５】  打ち込み座金は、円形にした平板の中央を円筒にし、円筒先端を円錐面にするだけなので、製造が容易である。
【図面の簡単な説明】
【００２６】
【図０１】打ち込み座金平面図
【図０２】打ち込み座金下面図
【図０３】打ち込み座金断面図
【図０４】打ち込み座金円筒先端拡大断面図
【図０５】打ち込み座金重積断面図
【発明を実施するための形態】
【００２７】  以下、本発明の実施の形態として実施例を図０１、図０２、図０３及び図０４、図０５に基づいて説明する。
【実施例１】
【００２８】  図１、図２及び図３において、１はナットの締めつけによる圧力を木構造材に伝える平板で、２は木構造材に設けられた穴に嵌められ、打ち込まれて木材に圧力を与えて穴に入る円筒である。３は円筒の先端外側に設けられた円錐面であり、平板への打ち込みの圧力を木材に伝えて圧縮させ、円筒を穴に挿入させるために必要である。４は１の平板と２の円筒が繋がる部分にある曲面コーナーである。【００２９】  図４において、５は円錐面と円筒の内側の面が鋭角に交わるので、危険防止のために設けた曲面の面取りである。【００３０】  図５において、４の曲面コーナーに３の円錐面を合わせて、打ち込み座金を重積している。嵌るので崩れにくい。
【符号の説明】
【００３１】１  平板
２  円筒
３  円錐面
４  曲面コーナー
５  面取り
【図０１】
2020003058.tif 000003
【図０２】
2020003058.tif 000004
【図０３】
2020003058.tif 000005
【図０４】
2020003058.tif 000006
【図０５】
2020003058.tif 000007
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
平板（１）と一体の円筒（２）から形成され、木構造材に設けたボルト挿入用の穴に、前記円筒を入れて固定する座金。
【請求項２】
前記円筒の先端の外側を円錐面（３）にした、請求項１に記載の座金。
【請求項３】
前記円筒の内径を、挿入するボルト径よりも広くし、木構造材に設けたボルト挿入用の穴よりも狭くした、請求項１に記載の座金。
【請求項４】
前記平板と前記円筒を繋げる部分の曲面コーナー（４）と前記円錐面を合わせて重ね積みできる、請求項１に記載の座金。
【請求項５】
前記円筒の内面と前記円錐面の交差部を曲面で面取（５）にした、請求項１に記載の座金。
【手続補正２】
【補正対象書類名】明細書
【補正対象項目名】全文
【補正方法】変更
【補正の内容】
【発明の詳細な説明】
【技術分野】
【０００１】  本発明は、木構造材に用いる座金に関する。
【背景技術】
【０００２】  接合金物を利用した木造構法では、ボルトとナットの締めつけに座金を用いている。
【先行技術文献】
【特許文献】
【０００３】
【特許文献１】特開  ２０１４−０９８２６８号  公報
【発明の概要】
【発明が解決しようとする課題】
【０００４】  建て方で、ボルトを木構造材に設けたボルト用の穴（以下、穴と記載）に挿入する時に、座金をボルトに手作業で嵌めてから挿入しているが、抜けやすいため其々の穴ごとに嵌めなければならないし、穴の向きによってはボルトから直ぐ抜けることもあるので、落ちないように配慮しながらの作業になり、効率の悪い仕事になっている。【０００５】  平板の座金は平らな所に置いてあると掴みにくく、手袋をした作業では扱いが難しい。【０００６】  穴の径の方がボルトの径より大きく、穴とボルトの間に隙間を作ったままで、ボルトを固定しているので、木材の経年変化でボルトの接合に緩みが生じている状況で地震に対応すると、ボルトが穴の中で動き、柔らかい木材と硬いボルトとの衝突が穴の中で繰り返され、入口の角が変形して穴の入口が広がり、小規模の地震でも繰り返し起きると、広がりがより大きくなり、大地震が起きた時に建物全体の揺れを大きくし被害を大きくする。【０００７】  また、ボルトと穴の隙間は、挿入されるすべてのボルトのために設けてあるので、構造体の寸法精度を下げている。
【課題を解決するための手段】
【０００８】  平板と一体の円筒とで、座金を形成した。【０００９】  円筒の先端の外側を円錐面にした。【００１０】  円筒の内径を、挿入するボルト径よりも広くし、木構造材に設けた穴よりも狭くした。【００１１】  平板と円筒が繋がる部分の曲面コーナーと、円筒の円錐面を重ねられる形状にした。【００１２】  円筒の内面と円錐面の交差部を曲面で面取した。
【発明の効果】
【００１３】  打ち込み座金の円筒の先端の外側に円錐面があるので、木構造材に設けた穴に円筒の先端が簡単に嵌り、打ち込が容易になり、取り付け効率が良くなる。【００１４】  ボルト用の穴が複数ある時は、穴に入りやすい円錐面部分を其々の穴に、入れると仮止めになるので、必要な数だけ入れてから、当て木を複数の打ち込み座金の平板に当てて、ハンマーなどで打ち込めば、効率が良い作業になる。【００１５】  丸い穴に短い円筒を打ち込んで入れるだけなので、座金は傾きにくく作業は容易である。【００１６】  建て方前に、打ち込み座金を木構造材の穴に打ち込んでおくと、建て方の時にボルトに座金を嵌める必要が無くなり、ボルトの取り付けが容易になる。【００１７】  打ち込み座金の円筒部分を、木構造材に設けた穴に、打ち込むことで、打たれた釘と同じように木材の元に戻ろうとする力で固定されるので、座金は穴から抜けないし、動かない。【００１８】  地震時には揺れるボルトが、穴の中で打ち込み座金の円筒の内側に当たり、木部を傷つけないので、穴の口は広がらない。【００１９】  打ち込み座金が打ち込まれると、穴がいくらか狭くなるが、ボルトを穴に入れる時に、ボルトの先が曲面コーナーに誘導され円筒内の滑らかな表面に触れるので、木材の穴よりも滑りやすく、容易に挿入できる。【００２０】  円筒が隙間を狭くするので、ボルトの地震時の動きが小さくなり、ボルトと繋がる接合金物などの動きも小さくなるし、建物全体の揺れも小さくなる。【００２１】  ボルトと打ち込み座金の穴の隙間が、穴だけのときよりも小さいので、構造体の寸法精度も高める。【００２２】  打ち込み座金が、木構造材の穴に嵌っていると、穴の輪郭がはっきりと見えるので、ボルトを挿入するときに、作業が容易になる。【００２３】  重ね積みした打ち込み座金の平板の縁を指先で挟めば、重ね積みから、簡単に外せる。【００２４】  穴に打ち込み座金の円筒が嵌りにくい場合、座金を斜にして穴の縁に円筒の先端の面取り部分を当てて回しながら擦ると、穴の縁が広がり座金が嵌りやすくなる。【００２５】  打ち込み座金は、円形にした平板の中央を円筒にし、円筒先端を円錐面にするだけなので、製造が容易である。【００２６】  打ち込み座金は平板部分と円筒部分で形成されているので、平板だけの座金と違い、平板部分が曲がり難く、平板を薄い板にすることができる。
【図面の簡単な説明】
【００２７】
【図０１】打ち込み座金平面図
【図０２】打ち込み座金下面図
【図０３】打ち込み座金断面図
【図０４】打ち込み座金円筒先端拡大断面図
【図０５】打ち込み座金重積断面図
【発明を実施するための形態】
【００２８】  以下、本発明の実施の形態として実施例を図０１、図０２、図０３及び図０４、図０５に基づいて説明する。
【実施例１】
【００２９】  図１、図２及び図３において、１はナットの締めつけによる圧力を木構造材に伝える平板で、２は木構造材に設けられた穴に挿入され、打ち込まれて木材に圧力を与えて穴に嵌る円筒である。３は円筒の先端外側に設けられた円錐面であり、平板への打ち込みの圧力を木材に伝えて圧縮させ、円筒を穴に挿入させ、座金を固定する。４は１の平板と２の円筒が繋がる部分にある曲面コーナーである。【００３０】  図４において、５は円錐面と円筒の内側の面が鋭角に交わるので、危険防止のために設けた曲面の面取である。【００３１】  図５において、４の曲面コーナーに３の円錐面を合わせて、打ち込み座金を重積している。嵌るので崩れにくい。
【符号の説明】
【００３２】１  平板
２  円筒
３  円錐面
４  曲面コーナー
５  面取
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
平板（１）と一体の円筒（２）から形成され、木構造材に設けたボルト挿入用の穴に、前記円筒を入れて固定する座金。
【請求項２】
前記円筒の先端の外側を円錐面（３）にした、請求項１に記載の座金。
【請求項３】
前記円筒の内径を、挿入するボルト径より広くし、前記円筒の外径を、木構造材に設けたボルト挿入用の穴よりも広くした、請求項１に記載の座金。
【請求項４】
前記円錐面の勾配を、平板と円筒が繋がる部分の曲面コーナー（４）の曲面に、前記円錐面を重ねると噛合う勾配にして、重ね積みを崩れにくくした、請求項２に記載の座金。
【請求項５】
打ち込み座金を穴に打ち込む時に、前記円筒の先端が穴の縁に刺さらないように、前記円筒と前記円錐面の交差部の円錐面を曲面で面取りした、請求項２に記載の座金。
【手続補正２】
【補正対象書類名】明細書
【補正対象項目名】全文
【補正方法】変更
【補正の内容】
【発明の詳細な説明】
【技術分野】
【０００１】本発明は、木構造材に用いる座金に関する。
【背景技術】
【０００２】  接合金物を利用した木造構法では、ボルトとナットの締めつけに座金を用いている。
【先行技術文献】
【特許文献】
【０００３】
【特許文献１】特開  ２０１４−０９８２６８号  公報
【発明の概要】
【発明が解決しようとする課題】
【０００４】  建て方で、ボルトを木構造材に設けたボルト用の穴（以下、穴と記載）に挿入する時に、座金をボルトに手作業で嵌めてから挿入しているが、抜けやすいため其々の穴ごとに嵌めなければならないし、穴の向きによってはボルトから直ぐ抜けることもあるので、落ちないように配慮しながらの作業になり、効率の悪い仕事になっている。【０００５】  平板の座金は平らな所に置いてあると掴みにくく、手袋をした作業では扱いが難しい。【０００６】  穴の径の方がボルトの径より大きく、穴とボルトの間に隙間を作ったままで、ボルトを固定しているので、木材の経年変化でボルトの接合に緩みが生じている状況で地震に対応すると、ボルトが穴の中で動き、柔らかい木材と硬いボルトとの衝突が穴の中で繰り返され、特に荷重を受けているボルトと穴の入口部分の衝突が激しく、入口の角が変形して穴の入口が広がり、小規模の地震が繰り返されると、広がりが大きくなり、柱や梁をより揺れやすくする原因となり、大地震が起きた時に建物全体の揺れを大きくし被害を大きくする。【０００７】  また、ボルトと穴の隙間は、挿入されるすべてのボルトに設けてあるので、構造体の寸法精度を下げている。
【課題を解決するための手段】
【０００８】  平板と一体の円筒とで、座金を形成した。【０００９】  円筒の先端の外側を円錐面にした。【００１０】  円筒の内径を、挿入するボルト径よりも広くし、円筒の外径を、木構造材に設けたボルト挿入用の穴よりも広くした。【００１１】円錐面の勾配を、平板と円筒が繋がる部分の曲面コーナーの曲面に、円錐面を重ねると噛合う勾配にして、重ね積みを崩れにくくした。【００１２】  円筒の内面と円錐面の交差部の円錐面を曲面で面取りした。
【発明の効果】
【００１３】  打ち込み座金の円筒の先端の外側に円錐面があり、円筒の内面の方が穴よりも狭いので、木構造材に設けた穴に円筒の先端が簡単に嵌り、打ち込が容易になり、取り付けの効率が良くなる。【００１４】  穴が複数ある時は、打ち込み座金の穴に入りやすい円錐面の先端を其々の穴に、入れると仮止めになるので、必要な数だけ入れてから、当て木を複数の打ち込み座金の平板に当てて、ハンマーなどで打ち込めば、効率が良い作業になる。【００１５】  丸い穴に短い円筒を打ち込んで入れるだけなので、座金は傾きにくく作業は容易である。【００１６】  建て方前に、打ち込み座金を穴に打ち込んでおくと、建て方の時にボルトに座金を嵌める必要が無くなり、構造材へのボルトの取り付けが容易になる。【００１７】  打ち込み座金の円筒部分を、穴に打ち込むことで、打たれた釘と同じように木材の元に戻ろうとする力で固定されるので、座金は穴から抜けないし、位置は動かない。【００１８】  地震時には揺れるボルトが、穴の中で打ち込み座金の円筒の内側に当たり、木部を傷つけないので、穴の口は広がらない。【００１９】  打ち込み座金が打ち込まれると、穴がいくらか狭くなるが、ボルトを穴に入れる時に、ボルトの先が曲面コーナーに誘導され円筒内の滑らかな表面に触れるので、木材の穴よりも滑りやすく、容易に挿入できる。【００２０】  円筒が隙間を狭くするので、ボルトに緩みが生じた場合でも地震時の動きが小さくなり、ボルトと繋がる接合部分の動きも小さくなるし、建物全体の揺れも小さくなる。【００２１】  ボルトと打ち込み座金の穴の隙間が、穴だけのときよりも小さいので、構造体の寸法精度も高める。【００２２】  打ち込み座金が、木構造材の穴に嵌っていると、穴の輪郭がはっきりと見えるので、ボルトを挿入するときに、作業が容易になる。【００２３】  重ね積みした打ち込み座金の平板の縁を指先で挟めば、重ね積みから、簡単に外せる。【００２４】  穴に打ち込み座金の円筒が嵌りにくい場合、座金を斜にして穴の縁に円筒の先端の面取り部分を当てて回すように縁を擦ると、穴の縁が広がり座金が打ち込みやすくなる。【００２５】打ち込み座金の円筒先端に面取りを設けたので、傾けたまま座金を穴に打ち込んでも、円筒先端部に面取りがあるので、円筒先端が刺さることもないし、穴の一部を切り欠くこともない。【００２６】  打ち込み座金は、円形にした平板の中央を円筒にし、円筒先端を円錐面にするだけなので、製造が容易である。
【図面の簡単な説明】
【００２７】
【図０１】打ち込み座金平面図
【図０２】打ち込み座金下面図
【図０３】打ち込み座金断面図
【図０４】打ち込み座金円筒先端拡大断面図
【図０５】打ち込み座金重積断面図
【図０６】打ち込み座金重積部分断面図
【発明を実施するための形態】
【００２８】  以下、本発明の実施の形態として実施例を図０１、図０２、図０３及び図０４、図０５、図０６に基づいて説明する。
【実施例１】
【００２９】  図０１、図０２及び図０３において、１はナットの締めつけによる圧力を木構造体に伝える平板で、２は木構造体に設けられた穴に嵌められ、打ち込まれて木材に圧力を与えて穴に入る円筒である。３は円筒の先端外側に設けられた円錐面であり、平板への打ち込みの圧力を木材に伝えて圧縮させ、円筒を穴に挿入させるために必要である。４は１の平板と２の円筒が繋がる部分にある曲面コーナーである。【００３０】  図０４において、５は円錐面と円筒の内側の面が鋭角に交わるので、危険防止のために設けた曲面の面取りである。【００３１】  図０５、図０６において、４の曲面コーナーに３の円錐面を合わせて、打ち込み座金を重積している。嵌るので崩れにくい。
【符号の説明】
【００３２】１  平板
２  円筒
３  円錐面
４  曲面コーナー
５  面取り
【手続補正３】
【補正対象書類名】図面
【補正対象項目名】全図
【補正方法】変更
【補正の内容】
【図０１】
2020003058.tif 000008
【図０２】
2020003058.tif 000009
【図０３】
2020003058.tif 000010
【図０４】
2020003058.tif 000011
【図０５】
2020003058.tif 000012
【図０６】
2020003058.tif 000013